(57)【要約】表示装置は表示画面を有する表示部と、表示部に接続されていて高さ調整スタンド３とを備えた。高さ調整スタンド３は、スタンドベース部に設けた固定部６と、表示部に接続され固定部６内を昇降可能な可動部７と、固定部６及び可動部７内に設けたフラットケーブル１０とを備えた。フラットケーブルは固定部の下部コネクタ８と可動部の上部コネクタ９に両端を連結し、中間にＳ字状湾曲部１１を設けた。可動部を表示部と共に上昇させると、フラットケーブルのＳ字状湾曲部１１の両端が引き出されてＳ字が短くなって伸張し、高さ調整スタンド３の伸張に追従する。可動部７を降下させると、フラットケーブル１０のＳ字状湾曲部１１の両端が湾曲されてＳ字が長くなって短縮され、高さ調整スタンド３の降下に追従する。固定部と可動部は定荷重バネによって連結して高さ調整可能とした。
2014006719.tif 000002
【特許請求の範囲】
【請求項１】
表示画面を有する表示部と、該表示部に接続されていて高さ調整可能な高さ調整スタンドとを備えた表示装置であって、
前記高さ調整スタンドは、ベース部に設けられた固定部と、前記表示部に接続されていて固定部内を昇降可能な可動部と、前記固定部及び可動部の内部に設けられた配線ケーブルとを備え、該配線ケーブルは固定部及び/または可動部の内部で伸縮可能な湾曲部が設けられていると共に前記固定部内の端部と可動部内の端部とに接続されていることを特徴とする高さ調整スタンドを備えた表示装置。
【請求項２】
前記配線ケーブルの湾曲部はＳ字状湾曲部または螺旋状湾曲部である請求項１に記載された高さ調整スタンドを備えた表示装置。
【請求項３】
前記配線ケーブルは、前記可動部が固定部に対して最大長さまで引き出された状態で、前記湾曲部を残すことができる長さに設定されている請求項１または２に記載された高さ調整スタンドを備えた表示装置。
【請求項４】
前記配線ケーブルの前記固定部内の端部と前記可動部内の端部は、コネクタである請求項１乃至３のいずれか１項に記載された高さ調整スタンドを備えた表示装置。
【請求項５】
前記固定部と可動部は定荷重バネによって連結して高さ調整可能とした請求項１乃至４のいずれか１項に記載された高さ調整スタンドを備えた表示装置。
【請求項６】
前記定荷重バネは、バネ体を巻回可能なドラムを固定部に係止させると共にバネ体の端部を可動部に係止させてなる請求項５に記載された高さ調整スタンドを備えた表示装置。
【請求項７】
前記固定部及び可動部の内部で、前記定荷重バネは複数設けられていると共に、前記配線ケーブルは複数の定荷重バネの間に配設されている請求項５または６に記載された高さ調整スタンドを備えた表示装置。
【請求項８】
前記可動部の端部は表示装置に電気的に接続された第一のケーブルを備え、固定部の端部は電源または信号供給源に電気的に接続された第二のケーブルを備えている請求項１乃至７のいずれか１項に記載された高さ調整スタンドを備えた表示装置。
【発明の詳細な説明】
【技術分野】
【０００１】
本発明は、例えば液晶パネル等の高さ調整機能を備えた表示装置用のスタンドであって、スタンドの内部に電気的接続部材である配線ケーブルを備えた高さ調整スタンドを有する表示装置に関する。
【背景技術】
【０００２】
一般に、液晶表示装置をはじめとする多くのＩＴ機器は、小型化と軽量化が近年の一つの流れになっている。高さ調整機能付きのスタンドを有する液晶表示装置は、特に液晶表示部に接続するケーブルの設置が小型化と軽量化の阻害要因になっていた。現在、市販されている多くの液晶表示装置では、高さ調整スタンドが昇降機構のみを備え、電源用や信号伝送用の複数のケーブルはスタンドの外部に別途配線されているため、これらのケーブルをスタンド等の内部に組み込んでより効率的に外部空間を利用できる液晶表示装置が求められている。
液晶表示装置は、一般の事務所等に留まらず、客の目に触れ易い受付のカウンターやレジ等でも用いられてきている。また、事務所等ではパーテーション等の囲いをなくして配置の自由度を高める傾向がある。そのため、液晶表示装置の裏面が人目につきやすくなり、表示部の裏面から外部に露出するケーブルは美観を損ねることがあった。
このような外観上の美観の点からもケーブルを液晶表示装置の外部に露出させない高さ調整スタンドの製品化が望まれていた。【０００３】
例えば、従来、市販されている高さ調整スタンドを備えた液晶表示装置として、特許文献１に開示されたものが提案されている。この液晶表示装置では、高さ調整スタンドとしてスタンドベースに設けた支持筒に摺動部材が昇降可能に設けられ、摺動部材と表示パネルとの連結部に表示パネルを縦長画面と横長画面に回転切替可能な機構が開示されている。しかしながら、表示パネルと電源を電気的に接続する電源ケーブルや信号伝送ケーブル等は開示されていない。【０００４】
また、特許文献２に記載された画像表示用装置では、テレビや周辺機器を収納した画像表示用装置用スタンドに貫通孔を複数設けて、これらの貫通孔にケーブルを通してテレビと周辺機器やコネクタとを互いに接続している。しかし、この画像表示装置のスタンドは表示画面と電源や各種の信号用コネクタとを内蔵するボックス型であり、表示画面を有する表示部を支持するスタンドが昇降する機構ではないため、ケーブルもボックス内に予め内蔵されたものであり、ケーブルが外部に露出する悪影響は生じない。【０００５】
これ対し、図９に示すような従来の高さ調整スタンドを備えた液晶表示装置は、表示パネル１００を設けた支柱からなる高さ調整スタンド１０１を昇降可能に設置しているため、上述した従来の機器と同様に、表示パネル１００に接続される電源ケーブルや信号伝送ケーブル等のケーブル１０２は高さ調整スタンド１０１の外部に設置されている。【０００６】
また、他の液晶表示装置では、見栄えを良くするために、図１０に示すようにケーブル１０２を高さ調整スタンド１０１に取り付けたカバー１０５内に挿入して貫通させて露出部分を少なくするようにしている。この高さ調整スタンド１０１ではケーブル１０２を露出させないよう隠すためにカバー１０５を別途設置している。【０００７】
また、特許文献３に記載されたヘッドマウントディスプレイでは、表示部の基板からイヤーパッドに信号を伝達するケーブルが接続され、このケーブルは回動部内のＡ室から仕切り板を介して重なるＢ室に配設されている。そして、配線の緩みが発生してケーブルがＡ室内に収納された場合にはスプリングによる配線巻取り機構によって、配線は螺旋状に巻き取られる。これによって、配線が絡まることなくＡ室内に収納される。
【先行技術文献】
【特許文献】
【０００８】
【特許文献１】特開２００８−３０１１１７号公報
【特許文献２】特開２００６−１９５２１７号公報
【特許文献３】特開２００８−１４８０２８号公報
【発明の概要】
【発明が解決しようとする課題】
【０００９】
ところで、図９に示す液晶表示装置は、高さ調整スタンド１０１を昇降させた際、外部に露出するケーブル１０２がたるんで美観を損ねたり、表示パネル１００の昇降時にケーブル１０２が表示パネル１００やスタンドベース１０３に接触等するため、操作性を害するという欠点があった。【００１０】
また、図１０に示す高さ調整スタンドでは、スタンド１０１にケーブル収納用のカバー１０５を別途設置する必要がある上に、ケーブル１０２はカバー１０５内を単純に貫通しているだけであるため、スタンド１０１が昇降作動すると、外部に露出しているケーブル１０２が弛んだり引っ張られたりするため外観上の美観を損ねたり、ケーブル１０２が機器に接触して昇降時の操作性に悪影響を与えたりする等の欠点が依然としてあった。
また、特許文献３に記載されたヘッドマウントディスプレイでは、配線のゆるみが発生してＡ室内で螺旋状に巻き取られて弛みを吸収できるとしても、Ａ室内で螺旋状に巻き取られた配線がＡ室やＢ室の仕切り部と干渉し易く配線の巻き取りと繰り出しがスムーズにできないという欠点があった。【００１１】
本発明は、このような課題に鑑みて、昇降させても配線ケーブルが他の部材と干渉せずに操作性が良く、外観の見栄えも良好な高さ調整スタンドを備えた表示装置を提供することを目的とする。
【課題を解決するための手段】
【００１２】
本発明による高さ調整スタンドを備えた表示装置は、表示画面を有する表示部と、該表示部に接続されていて高さ調整可能な高さ調整スタンドとを備えた表示装置であって、
高さ調整スタンドは、ベース部に設けられた固定部と、表示部に接続されていて固定部内を昇降可能な可動部と、固定部及び可動部の内部に設けられた配線ケーブルとを備え、配線ケーブルは固定部及び/または可動部の内部で伸縮可能な湾曲部が設けられていると共に前記固定部内の端部と可動部内の端部とに接続されていることを特徴とする。
本発明によれば、表示部を備えた可動部を上昇させると高さ調整スタンドが伸張し、配線ケーブルが可動部と固定部内の各端部に接続されているために、可動部の上昇に沿って配線ケーブルが伸張して湾曲部が延びるため可動部の上昇に追従できる。また、可動部を降下させると高さ調整スタンドが収縮し、可動部の降下に沿って配線ケーブルが湾曲部でより湾曲させられて長さを調整できるため可動部の降下に追従できる。このように高さ調整スタンドの昇降に従って、内部に設けた配線ケーブルが両端部間で湾曲部における引き出しと湾曲の促進による長さの吸収とを行って追従できる。そのため、高さ調整スタンドを昇降させても、配線ケーブルの湾曲部が緩衝部となって長さ調整を行えるため他の部材と干渉することなく操作性を良好に維持でき、配線ケーブルが外部に露出しないので外観上の見栄えが良い。【００１３】
また、配線ケーブルの湾曲部はＳ字状湾曲部または螺旋状湾曲部であることが好ましい。
高さ調整部を昇降させる際、配線ケーブルは湾曲部がＳ字状湾曲部であるとＳ字形状の長さが長短に変動することで追従でき、また配線ケーブルの湾曲部が螺旋状湾曲部であると螺旋の巻回部が繰り出されたり多重に巻き込まれたりすることで追従できる。【００１４】
また、配線ケーブルは、可動部が固定部に対して最大長さまで引き出された状態で、湾曲部を残すことができる長さに設定されていることが好ましい。
これによって高さ調整スタンドが最も上昇した際、これに追従する配線ケーブルが直線状の緊張状態にならずに湾曲部の余裕があるため、昇降を繰り返しても湾曲形状が消耗して寿命が短くなることを防止できる。【００１５】
また、配線ケーブルの固定部内の端部と可動部内の端部は、コネクタであることが好ましい。
これによって配線ケーブルの外部に接続する他のケーブルの長さが、高さ調整スタンドの昇降に限らず変化しないようにできるため、他のケーブルが他の部材と干渉したり外観上の美観を損ねることを防止できる。しかも、高さ調整スタンドの内部は両端部のコネクタに配線ケーブルを連結したので、高さ調整スタンドの昇降による、高さ調整スタンド内の配線の電気的接続に悪影響を与えない。【００１６】
また、固定部と可動部は定荷重バネによって連結して高さ調整可能としてもよい。
固定部と可動部を定荷重バネによって連結することで、高さ調整スタンドの昇降に定荷重バネを追従させて伸縮することができると共に任意の高さ位置で静止できる。【００１７】
また、定荷重バネは、バネ体を巻回可能なドラムを固定部に係止させると共にバネ体の端部を可動部に係止させてもよい。
高さ調整スタンドの昇降に定荷重バネを追従させてドラムからバネ体を繰り出したり、バネ体をドラムに巻き込むことで、表示部と可動部の重量とバネ力を任意の高さ位置でバランスさせて静止できる。【００１８】
また、固定部及び可動部の内部で、定荷重バネは複数設けられていると共に、配線ケーブルは複数の定荷重バネの間に配設されていてもよい。
これによって、高さ調整スタンドの昇降に従って、配線ケーブルの両側で定荷重バネのバネ体が引き出しまたは巻き込みされて安定して荷重が可動部に働くので、その間に配設された配線ケーブルが捩れたり傾いたりすることなく安定して伸縮する。【００１９】
また、可動部の端部は表示部に電気的に接続された第一のケーブルを備え、固定部の端部は外部の電源及び/または信号供給源に電気的に接続された第二のケーブルを備えていることが好ましい。
高さ調整スタンドの昇降によるケーブルの伸縮調整は、湾曲部を備えた配線ケーブルで引き受けるため、高さ調整スタンドの外部に位置する第一及び第二のケーブルは、高さ調整スタンドの昇降によって伸縮しないので他の機器に干渉することなく美観がよい。
【発明の効果】
【００２０】
上述したように、本発明による高さ調整スタンドを備えた表示装置によれば、次の効果を奏する。
（１）配線ケーブルを高さ調整スタンドの内部に設けたことにより、高さ調整スタンドの外側にケーブルを配設する必要がないので、高さ調整スタンドを小型化できる。また、配線ケーブルを収納したり隠したりするカバーなどの別部品が不要であり、美観が向上する。
（２）高さ調整スタンドの昇降時に、配線ケーブルは湾曲部で引き出しまたは湾曲促進によって伸縮することで追従し、表示部や高さ調整スタンド等と干渉することがなく、表示部や高さ調整スタンドの昇降動作と操作性が阻害されることがない。
（３）高さ調整スタンドの昇降時に高さ調整スタンドの可動部の上側から露出して表示部に連結される第一のケーブルと固定部の下側から露出する第二のケーブルとの長さや位置が、高さ調整スタンドの高さ変化に関わらず一定に維持されるため、美観を損ねることなく安定した昇降動作を行える。
（４）高さ調整スタンド内の配線ケーブルの両端を可動部の端部と固定部の端部とに接続させたから、高さ調整スタンドの高さ調整時に配線ケーブルがよじれたりせず、高さ調整スタンド内の配線ケーブルの昇降時の伸縮や移動軌跡が安定するので、ケーブルガイドなどの追加部品が必要なく、シンプルな構造を実現できる。
【図面の簡単な説明】
【００２１】
【図１Ａ】本発明の第一実施形態による高さ調整スタンドを備えた液晶表示装置の側面図であって、高さ調整スタンドを上昇位置に保持した状態の図である。
【図１Ｂ】第一実施形態による液晶表示装置の高さ調整スタンドを降下位置に保持した状態の側面図である。
【図２】降下位置にある高さ昇降スタンドの正面図と上面図である。
【図３Ａ】図２に示す高さ調整スタンドのＡ−Ａ線断面図である。
【図３Ｂ】図２に示す高さ調整スタンドのＢ−Ｂ線断面図である。
【図４Ａ】上昇位置にある高さ調整スタンドの図３Ａと同様な断面図である。
【図４Ｂ】上昇位置にある高さ調整スタンドの図３Ｂと同様な断面図である。
【図５Ａ】上昇位置にある表示装置の側面図である。
【図５Ｂ】降下位置にある表示装置の側面図である。
【図６Ａ】本発明の第二実施形態による液晶表示装置において降下位置にある高さ調整スタンドの図３Ａと同様な断面図である。
【図６Ｂ】第二実施形態による液晶表示装置において降下位置にある高さ調整スタンドの図３Ｂと同様な断面図である。
【図７Ａ】上昇位置にある高さ調整スタンドの図３Ａと同様な断面図である。
【図７Ｂ】上昇位置にある高さ調整スタンドの図３Ｂと同様な断面図である。
【図８】変形例による高さ調整スタンドの降下状態を示す断面図である。
【図９】従来の表示装置の一例について上昇位置と降下位置を示す図である。
【図１０】従来の表示装置の他の例について上昇位置と降下位置を示す図である。
【発明を実施するための形態】
【００２２】
以下、本発明の実施形態について添付図面に基づいて説明する。
本発明の第一実施形態による液晶表示装置１について図１Ａ〜図５Ｂにより説明する。
図１Ａ及び図１Ｂに示す液晶表示装置１は、液晶表示画面を備えた液晶表示部２と、高さ調整機能を有する高さ調整スタンド３と、この高さ調整スタンド３を支持するスタンドベース４とを有している。高さ調整スタンド３は、スタンドベース４に連結された固定部６と、固定部６に対して昇降可能で液晶表示部２を支持する可動部７とを備えている。図２に示すように、固定部６と可動部７はいずれも筒状、例えば角筒状で可動部７は固定部６の内部を摺動可能とされている。
【００２３】
また、図３Ａ，３Ｂ及び図４Ａ、４Ｂに示す図２の縦断面図において、高さ調整スタンド３の固定部６の内面における下端部には下部コネクタ８が固定され、可動部７の内面における上端部には上部コネクタ９が固定されている。そして、固定部６の下部コネクタ８と可動部７の上部コネクタ９には少なくとも中間部分にＳ字状に形成されたＳ字状湾曲部１１を備えたフラットケーブル１０が連結されている。
そして、図１Ｂに示すように、上部コネクタ９は電源及び信号を伝送するための第一のケーブル１２によって液晶表示部２に電気的に接続されている。下部コネクタ８は電源及び信号を伝送するための第二のケーブル１３によって図示しない電源、コンピュータ、キーボード等の信号供給源に電気的に接続されている。
【００２４】
ここで、フラットケーブル１０は弾性を有していて、高さ調整スタンド３内に組み込まれていない状態では１本の長い帯状であり、組み込まれた状態でＳ字状湾曲部１１を形成してＳ字による伸縮性を有する範囲内で昇降するようになっている。即ち、フラットケーブル１０は図３Ａ，３Ｂに示すように可動部７が下端位置に降下した位置である降下位置と、図４Ａ，４Ｂに示すように可動部７が上端位置に上昇した位置である上昇位置との範囲で、Ｓ字状湾曲部１１を維持するように上昇位置にある高さ調整スタンド３の最大長さより長く形成されている。そのため、高さ調整スタンド３を昇降させる際に、フラットケーブル１０はＳ字形状湾曲部１１が大小に変化する範囲内で伸縮する。フラットケーブル１０は、伸縮方向とは垂直な方向に複数の線が配列された構造であるので、伸縮する際に伸縮方向に垂直な方向に拠れることがない。つまり、高さ調整スタンド３は昇降によってＳ字形状の構造が乱れたり崩れたりすることがない。
【００２５】
ここで、フラットケーブル１０は、図４Ｂに示す可動部７が上昇位置（上端位置）にある状態で、固定部６と可動部７が重なった範囲と同程度のＳ字状湾曲部１１の長さ寸法を有するように形成されている。例えば、高さ調整スタンド３の最大長さをＬとして、フラットケーブル１０のＳ字状湾曲部１１の長さ寸法ｍは最大長さＬの約２０％とする。つまり、フラットケーブル１０は、可動部７が固定部６に対して最大長さまで引き出された状態で（高さ調整スタンド３が伸びきった状態で）、Ｓ字状湾曲部１１が存在する長さに設定されている。よって、このような状態から高さ調整スタンド３を縮める場合、Ｓ字形状湾曲部１１の長さが変化するに留まり、Ｓ字形状湾曲部１１は他の形状に変わったりしない。
また、可動部７が図３Ｂに示すように降下位置（下端位置）にある状態で、フラットケーブル１０は互いに接触しない程度にＳ字状湾曲部１１を形成し、好ましくはＳ字を形成する３本のラインが互いに平行な形状を維持する。
なお、図３Ｂ,図４Ｂに示す上昇及び降下位置において、Ｓ字状湾曲部１１は固定部６の内壁と若干の間隙を有し、可動部７の内壁と若干の間隙を有するように非接触とされている。これによって、可動部７の昇降に連動してフラットケーブル１０がＳ字状湾曲部１１で相互に干渉せず、また固定部６や可動部７の内壁に干渉することなくスムーズに追従して昇降する。
【００２６】
また、高さ調整スタンド３において、図２に示すように固定部６と可動部７は平面視で例えば角筒形状であり、固定部６の一の面に開口部６ａを有しており、その内側に摺動可能に嵌挿させた可動部７は固定部６の開口部６ａと反対側の面に開口部７ａが形成されている。そして、固定部６の開口部６ａに対向する面には、一対のガイド部１５が固定され、各ガイド部１５は可動部７の開口部７ａを通して可動部７内に突出している。図２に示す例では、フラットケーブル１０の両側に一対のガイド部１５が配設されている。
そして、各ガイド部１５には弾性部材として、定荷重バネ（コンストンスプリング）１６が支持され、定荷重バネ１６によって可動部７及び液晶表示部２を固定部６に対して任意の高さ位置に静止保持して高さ調整機能を発揮することができる。
【００２７】
定荷重バネ１６はドラム１７に例えば帯状のバネ体１８が巻回されており、ドラム１７がガイド部１５に支持されている。巻回されたバネ体１８の一端部はドラム１７から繰り出されて可動部７の一端部、例えば下端部に連結され、バネ体１８のドラム１７からの繰り出し量に応じて可動部７及び液晶表示部２を任意の高さ位置に保持できる。図３Ａ及び図４Ａに示すように、定荷重バネ１６は固定部６内の上端に近い位置に支持されている。
【００２８】
本第一実施形態による高さ調整スタンド３付きの液晶表示装置１は上述の構成を備えており、次にその作用を説明する。
図１Ｂ，図３Ａ，３Ｂにおいて、液晶表示装置１の高さ調整スタンド３は最も高さの低い降下位置に保持されている。高さ調整スタンド３における可動部７のほとんどは固定部６内に収納され、その内部でフラットケーブル１０はＳ字状湾曲部１１が長くなるよう撓んで保持される。また、この状態で、定荷重バネ１６はバネ体１８が最も繰り出された位置にある。
【００２９】
この状態から液晶表示部２や可動部７を上方に引き上げると、フラットケーブル１０はＳ字状湾曲部１１の長さが短くなるように引き出されていき、これと同時に定荷重バネ１６のバネ体１８がドラム１７に巻き取られていく。定荷重バネ１６は、任意の位置で液晶表示部２と可動部７の重量とバランスして液晶表示部２と可動部７を支えて保持することができる。
そして、液晶表示部２や可動部７を上端まで引き上げると、図４Ａ、図４Ｂに示すように、液晶表示装置１の高さ調整スタンド３は最も高さの高い上昇位置に上昇させられて保持される。この位置で、高さ調整スタンド３における可動部７の大部分は固定部６から外側に突出し、固定部６の内部でフラットケーブル１０はＳ字状湾曲部１１が最も長さが短く撓んで保持されている。また、この状態で、定荷重バネ１６はバネ体１８が最も巻き取られた位置にある。
【００３０】
そして、図５Ａ、図５Ｂに示すように、フラットケーブル１０は、その上下端部が上部コネクタ９と下部コネクタ８に電気的に接続されているので、高さ調整スタンド３の高さを上端と下端の間で調整した場合でも、フラットケーブル１０のＳ字状湾曲部１１の長さが長短に変化することで高さの変化に追従し、電気的な接続が保持される。
また、可動部７の上部コネクタ９と液晶表示部２を接続する第一のケーブル１２と、下部コネクタ８と電源等を接続する第二のケーブル１３とは、高さ調整スタンド３の高さの変化に関わらず伸縮しないので、操作性が良く高さ変化による影響を受けず外観上の見栄えがよい。
【００３１】
上述のように本第一実施形態による高さ調整スタンド３付きの液晶表示装置１は、高さ調整スタンド３の内部にＳ字形湾曲部１１を有するフラットケーブル１０を設けて高さ調整スタンド３の高さの変化に応じてＳ字状湾曲部１１の長さを変化させて追従できるようにしたから、高さ調整スタンド３の外部にケーブルを設ける必要がなく、ケーブルを覆うカバー等の別部品を設ける必要もなく、高さ調整スタンド３を小型化できる。
しかも、高さ調整スタンド３内に設けたフラットケーブル１０の両端を上下部コネクタ９，８で連結したから、高さ調整時にフラットケーブル１０が捩れたりせずＳ字状を維持するため、形状が安定すると共に高さの変化に追従して電気的接続を維持できる。そのため、ケーブルガイド等の追加部品が必要なくシンプルな構造を実現できる。
【００３２】
また、ケーブルを高さ調整スタンド３の外側に設けると高さ調整する際にケーブルが液晶表示装置１と干渉することがあるが、本実施形態による液晶表示装置１では高さ調整スタンド３の外部に設けた液晶表示部２に接続する第一のケーブル１２や電源等に接続する第二のケーブル１３の長さが一定であるから、各ケーブル１０，１２，１３が液晶表示装置１と干渉することがなく、高さ調整スタンド３の操作性がよく、外観の美観がよい。
【００３３】
なお、本発明は上述の実施形態による高さ調整スタンド３を備えた表示装置１に限定されるものではなく、本発明の要旨を変更しない限り適宜の変更を採用することができる。
以下に、本発明の他の実施形態や変形例について第一実施形態と同一または同様な部分、部材には同一の符号を用いて説明を行う。
図６Ａ、６Ｂ、図７Ａ，７Ｂは本発明の第二実施形態による表示装置１の高さ調整スタンド２０を示す断面図である
【００３４】
本第二実施形態による高さ調整スタンド２０では、フラットケーブル１０の湾曲部の形状において第一実施形態によるＳ字状湾曲部１１と相違し、その余の構成で一致する。
図６Ａ，図７Ａに示すように、高さ調整スタンド２０は、第一実施形態と同様に一対の定荷重バネ１６の間にフラットケーブル１０が配設されている。
フラットケーブル１０の上下部コネクタ９，８間の長さ方向の中間点は、図７Ａ、７Ｂに示すように折り曲げられまたは略Ｕ字状に湾曲させられた折り曲げ部２１ａが形成されて電気的に連通している。そして、フラットケーブル１０は、この折り曲げ部２１ａを内側端部としてその両側を二重の螺旋状に湾曲させた螺旋状湾曲部２１を有している（図６Ｂ参照）。
【００３５】
そのため、図６Ｂに示すように、可動部７が最も降下してその大部分が固定部６内に収容された下降位置では、上部コネクタ９と下部コネクタ８が最も近接するために、フラットケーブル１０はその弾性により折り曲げ部２１ａを内側にして螺旋状湾曲部２１として巻回されている。一方、図７Ｂに示すように、可動部７が固定部６から最も上昇した上昇位置では、上部コネクタ９と下部コネクタ８が最も離間するために、フラットケーブル１０は上下コネクタ９，８で引っ張られて折り曲げ部２１ａ付近でのみ例えば半周以下の長さで湾曲する形状とされている。
【００３６】
本第二実施形態による表示装置１の高さ調整スタンド２０が最も高さの低い降下位置において、図６Ａに示すように、高さ調整スタンド２０の可動部７のほとんどは固定部６内に収納され、その内部でフラットケーブル１０は折り曲げ部２１ａを内側にして螺旋状湾曲部２１が巻回形成されている。この位置で、図６Ａに示す定荷重バネ１６はバネ体１８が最も繰り出された位置にある。
【００３７】
この状態から液晶表示部２や可動部７を上方に引き上げると、フラットケーブル１０は螺旋状湾曲部２１の巻回部分が上側と下側に引き出され、螺旋状湾曲部２１の巻き数が少なくなる。これと同時に定荷重バネ１６のバネ体１８がドラム１７に巻き取られていき、定荷重バネ１６は、任意の位置で液晶表示部２及び可動部７の重量とバランスして液晶表示部２と可動部７を静止させることができる。
液晶表示部２や可動部７を上昇位置まで引き上げると、図７Ａ、図７Ｂに示すように、液晶表示装置１の高さ調整スタンド２０は上端に上昇させられて保持される。この位置で、可動部７の大部分は固定部６から外側に突出し、その内部でフラットケーブル１０は螺旋状湾曲部２１の折り曲げ部２１ａが最も巻き数の少ない引き出し状態に保持されている。この状態で、定荷重バネ１６はバネ体１８が最も巻き取られた位置にある。
【００３８】
フラットケーブル１０は、その上下端が上部コネクタ９と下部コネクタ８に電気的に接続されているので、高さ調整スタンド３の高さを調整した場合でもフラットケーブル１０の折り曲げ部２１ａを中心とした螺旋状湾曲部２１の巻き数が変化することで高さの変化に追従し、電気的な接続が保持される。
可動部７の上部コネクタ９と液晶表示部２を接続する第一のケーブル１２と下部コネクタ８と電源等を接続する第二のケーブル１３とは、高さ調整スタンド２０の高さの変化に関わらず伸縮しないので、高さ変化による影響を受けず外観上の見栄えがよい。
【００３９】
なお、上述した各実施形態による高さ調整スタンド３，２０を備えた表示装置では液晶表示装置１を例にとって説明したが、本発明は液晶表示装置１に限定されることなく、プラズマ表示装置や有機ＬＥＤ表示装置等、各種の表示装置に高さ調整スタンド３，２０を採用できる。
また、上述した各実施形態では、高さ調整スタンド３，２０を任意の高さ位置に保持する定荷重バネ１６を、フラットケーブル１０の両側に一対内蔵したが、定荷重バネ１６は１つだけ設けてもよい。
【００４０】
また、上述の各実施形態等では、配線ケーブルとして、高さ調整スタンド３，２０内で上部コネクタ９と下部コネクタ８に連結されたフラットケーブル１０を用いたが、本発明の配線ケーブルはフラットケーブル１０に限定されるものではなく、線状ケーブル等、適宜の断面形状の電源ケーブルや信号伝送ケーブル等を採用できる。
【００４１】
また、配線ケーブルであるフラットケーブル１０のＳ字状湾曲部１１は高さ調整スタンド３，２０の昇降方向（高さ方向）に直交する方向にＳ字形状湾曲部１１が形成されているが、これに代えて図８に変形例として示すように、高さ調整スタンド３、２０内の昇降方向にＳ字形状湾曲部１１が１または複数設けられたフラットケーブル１０を採用してもよい。この場合、固定部６や可動部７の内径寸法が小さいので、Ｓ字状湾曲部１１を複数形成することで、高さ調整スタンド３の昇降変化に追従してそれぞれ部分的に伸縮できるようにするとよい。
また、フラットケーブル１０を含む配線ケーブルは、その湾曲部が上述したＳ字状湾曲部１１や螺旋状湾曲部２１に限定されるものではなく、アコーディオン形状やその他の適宜の湾曲または屈曲形状に形成してもよい。
また、上述した各実施形態では、Ｓ字状湾曲部１１や螺旋状湾曲部２１等は固定部６と可動部７の重複領域に配設されているが、この重複領域をはみ出して固定部６と可動部７のいずれか一方の領域に亘って形成されていてもよいし、固定部６と可動部７のいずれか一方の領域にのみ形成されていてもよい。
【産業上の利用可能性】
【００４２】
本発明は、液晶画面等の表示部を支持する高さ調整スタンド内にフラットケーブルを設けてその上端と下端を上部コネクタと下部コネクタに連結し、フラットケーブルの長さ方向の中間部分にＳ字状湾曲部または螺旋状湾曲部等の湾曲部を設けたことで、高さ調整スタンドの高さの変化にフラットケーブルが無理なく伸縮して追従し、電気的導通を維持できるようにした高さ調整スタンドを備えた表示装置を提供する。
【符号の説明】
【００４３】
１  液晶表示装置
２  表示部
３、２０  高さ調整スタンド
６  固定部
７  可動部
８  下部コネクタ
９  上部コネクタ
１０  フラットケーブル
１１  Ｓ字状湾曲部
１２  第一のケーブル
１３  第二のケーブル
１５  ガイド部
１６  定荷重バネ
１７  ドラム
１８  バネ体
２１  螺旋状湾曲部
２１ａ  折り曲げ部
【図１Ａ】
2014006719.tif 000003
【図１Ｂ】
2014006719.tif 000004
【図２】
2014006719.tif 000005
【図３Ａ】
2014006719.tif 000006
【図３Ｂ】
2014006719.tif 000007
【図４Ａ】
2014006719.tif 000008
【図４Ｂ】
2014006719.tif 000009
【図５Ａ】
2014006719.tif 000010
【図５Ｂ】
2014006719.tif 000011
【図６Ａ】
2014006719.tif 000012
【図６Ｂ】
2014006719.tif 000013
【図７Ａ】
2014006719.tif 000014
【図７Ｂ】
2014006719.tif 000015
【図８】
2014006719.tif 000016
【図９】
2014006719.tif 000017
【図１０】
2014006719.tif 000018
【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
表示画面を有する表示部と、該表示部に接続されていて高さ調整可能な高さ調整スタンドとを備えた表示装置であって、
前記高さ調整スタンドは、ベース部に設けられた固定部と、前記表示部に接続されていて固定部内を昇降可能な可動部と、前記固定部及び可動部の内部に設けられた配線ケーブルとを備え、該配線ケーブルは固定部及び/または可動部の内部で伸縮可能な湾曲部が設けられていると共に前記固定部内の端部と可動部内の端部とに接続されていることを特徴とする高さ調整スタンドを備えた表示装置。
【請求項２】
前記配線ケーブルの湾曲部はＳ字状湾曲部または螺旋状湾曲部である請求項１に記載された高さ調整スタンドを備えた表示装置。
【請求項３】
前記配線ケーブルは、前記可動部が固定部に対して最大長さまで引き出された状態で、前記湾曲部を残すことができる長さに設定されている請求項１または２に記載された高さ調整スタンドを備えた表示装置。
【請求項４】
前記配線ケーブルの前記固定部内の端部と前記可動部内の端部は、コネクタである請求項１乃至３のいずれか１項に記載された高さ調整スタンドを備えた表示装置。
【請求項５】
前記固定部と可動部は定荷重バネによって連結して高さ調整可能とした請求項１乃至４のいずれか１項に記載された高さ調整スタンドを備えた表示装置。
【請求項６】
前記定荷重バネは、バネ体を巻回可能なドラムを固定部に係止させると共にバネ体の端部を可動部に係止させてなる請求項５に記載された高さ調整スタンドを備えた表示装置。
【請求項７】
前記固定部及び可動部の内部で、前記定荷重バネは複数設けられていると共に、前記配線ケーブルは複数の定荷重バネの間に配設されている請求項５または６に記載された高さ調整スタンドを備えた表示装置。
【請求項８】
前記可動部の端部は表示装置に電気的に接続された第一のケーブルを備え、固定部の端部は電源または信号供給源に電気的に接続された第二のケーブルを備えている請求項１乃至７のいずれか１項に記載された高さ調整スタンドを備えた表示装置。
【請求項９】
表示画面を有する表示部と、該表示部に接続された高さ調整スタンドとを備えた表示装置の高さ調整方法であって、
前記高さ調整スタンドのベース部に設けた固定部に対して前記表示部に接続した可動部を上昇させることで内部の配線ケーブルの湾曲部を伸長させ、前記可動部を降下させることで前記配線ケーブルの湾曲部の湾曲を促進させることを特徴とする高さ調整スタンドを備えた表示装置の高さ調整方法。
【手続補正３】
【補正対象書類名】明細書
【補正対象項目名】０００１
【補正方法】変更
【補正の内容】
【０００１】
本発明は、例えば液晶パネル等の高さ調整機能を備えた表示装置用のスタンドであって、スタンドの内部に電気的接続部材である配線ケーブルを備えた高さ調整スタンドを有する表示装置とその高さ調整方法に関する。
【手続補正４】
【補正対象書類名】明細書
【補正対象項目名】００１１
【補正方法】変更
【補正の内容】
【００１１】
本発明は、このような課題に鑑みて、昇降させても配線ケーブルが他の部材と干渉せずに操作性が良く、外観の見栄えも良好な高さ調整スタンドを備えた表示装置とその高さ調整方法を提供することを目的とする。
【手続補正５】
【補正対象書類名】明細書
【補正対象項目名】００１２
【補正方法】変更
【補正の内容】
【００１２】
本発明による高さ調整スタンドを備えた表示装置は、表示画面を有する表示部と、該表示部に接続されていて高さ調整可能な高さ調整スタンドとを備えた表示装置であって、
高さ調整スタンドは、ベース部に設けられた固定部と、表示部に接続されていて固定部内を昇降可能な可動部と、固定部及び可動部の内部に設けられた配線ケーブルとを備え、配線ケーブルは固定部及び/または可動部の内部で伸縮可能な湾曲部が設けられていると共に前記固定部内の端部と可動部内の端部とに接続されていることを特徴とする。
本発明による高さ調整スタンドを備えた表示装置の高さ調整方法は、表示画面を有する表示部と、該表示部に接続された高さ調整スタンドとを備えた表示装置の高さ調整方法であって、高さ調整スタンドのベース部に設けた固定部に対して表示部に接続した可動部を上昇させることで内部の配線ケーブルの湾曲部を伸長させ、前記可動部を降下させることで前記配線ケーブルの湾曲部の湾曲を促進させることを特徴とする。
本発明によれば、表示部を備えた可動部を上昇させると高さ調整スタンドが伸張し、配線ケーブルが可動部と固定部内の各端部に接続されているために、可動部の上昇に沿って配線ケーブルが伸張して湾曲部が延びるため可動部の上昇に追従できる。また、可動部を降下させると高さ調整スタンドが収縮し、可動部の降下に沿って配線ケーブルが湾曲部でより湾曲させられて長さを調整できるため可動部の降下に追従できる。このように高さ調整スタンドの昇降に従って、内部に設けた配線ケーブルが両端部間で湾曲部における引き出しと湾曲の促進による長さの吸収とを行って追従できる。そのため、高さ調整スタンドを昇降させても、配線ケーブルの湾曲部が緩衝部となって長さ調整を行えるため他の部材と干渉することなく操作性を良好に維持でき、配線ケーブルが外部に露出しないので外観上の見栄えが良い。
【手続補正６】
【補正対象書類名】明細書
【補正対象項目名】００２０
【補正方法】変更
【補正の内容】
【００２０】
上述したように、本発明による高さ調整スタンドを備えた表示装置とその高さ調整方法によれば、次の効果を奏する。
（１）配線ケーブルを高さ調整スタンドの内部に設けたことにより、高さ調整スタンドの外側にケーブルを配設する必要がないので、高さ調整スタンドを小型化できる。また、配線ケーブルを収納したり隠したりするカバーなどの別部品が不要であり、美観が向上する。
（２）高さ調整スタンドの昇降時に、配線ケーブルは湾曲部で引き出しまたは湾曲促進によって伸縮することで追従し、表示部や高さ調整スタンド等と干渉することがなく、表示部や高さ調整スタンドの昇降動作と操作性が阻害されることがない。
（３）高さ調整スタンドの昇降時に高さ調整スタンドの可動部の上側から露出して表示部に連結される第一のケーブルと固定部の下側から露出する第二のケーブルとの長さや位置が、高さ調整スタンドの高さ変化に関わらず一定に維持されるため、美観を損ねることなく安定した昇降動作を行える。
（４）高さ調整スタンド内の配線ケーブルの両端を可動部の端部と固定部の端部とに接続させたから、高さ調整スタンドの高さ調整時に配線ケーブルがよじれたりせず、高さ調整スタンド内の配線ケーブルの昇降時の伸縮や移動軌跡が安定するので、ケーブルガイドなどの追加部品が必要なく、シンプルな構造を実現できる。
【国際調査報告】
2014006719.tif 000019
2014006719.tif 000020
2014006719.tif 000021